(57)【要約】【課題】  過去の所望する時点における全ての動作条件設定項目の値を、容易かつ短時間に再設定することができる計量機器用情報処理装置を提供する。【解決手段】  本発明の計量機器用情報処理装置１Ａは、個々の動作条件設定項目についてその値を変更するための動作条件変更手段と、動作条件設定項目の値が変更されるたびに動作条件設定項目の変更前の値および変更後の値と変更された年月日及び時刻とを含む動作条件変更情報を作成する変更情報作成手段と、動作条件変更情報を履歴として記憶する変更履歴記憶手段と、動作条件変更情報履歴を画面に表示する変更履歴表示手段と、動作条件変更情報履歴の中からいずれか１つの動作条件変更情報を選択するための選択手段と、選択される動作条件変更情報が作成された時点における全ての動作条件設定項目の値を動作条件設定情報として再度設定する再設定手段とを備えている。【選択図】  図１
2010008246.tif 000002
【特許請求の範囲】
【請求項１】
計量機器の動作を規定するために複数の動作条件設定項目の値からなる動作条件設定情報を設定する計量機器用情報処理装置であって、
現在設定されている動作条件設定情報の中の個々の前記動作条件設定項目についてその値を変更することによって前記動作条件設定項目の値を変更するための動作条件変更手段と、
前記動作条件変更手段により前記動作条件設定項目の値が変更されるたびに、変更された前記動作条件設定項目の変更前の値および変更後の値と、変更された年月日及び時刻とを含む動作条件変更情報を作成する変更情報作成手段と、
前記変更情報作成手段により前記動作条件変更情報が作成されるたびに、前記動作条件変更情報を動作条件変更情報履歴として記憶する変更履歴記憶手段と、
前記変更履歴記憶手段に記憶されている前記動作条件変更情報履歴を画面に表示する変更履歴表示手段と、
前記変更履歴表示手段の画面に表示される前記動作条件変更情報履歴の中からいずれか１つの前記動作条件変更情報を選択するための選択手段と、
前記選択手段により選択される前記動作条件変更情報が作成された時点における全ての前記動作条件設定項目の値を、前記動作条件設定情報として再度設定する再設定手段とを備え、
前記変更情報作成手段は、前記再設定手段によって、前記選択手段により選択される前記動作条件変更情報が作成された時点における全ての前記動作条件設定項目の値が、前記動作条件設定情報として再度設定されることにより前記動作条件設定項目の値が変更されるたびにも、前記動作条件変更情報を作成するように構成された計量機器用情報処理装置。
【請求項２】
前記動作条件変更手段及び前記再設定手段によって前記動作条件設定項目の値が変更される前に、操作者を特定するための情報である操作者情報の入力を必要とする操作者情報入力手段が設けられ、
前記変更情報作成手段は、前記操作者情報を含めて前記動作条件変更情報を作成するように構成された請求項１に記載の計量機器用情報処理装置。
【請求項３】
ログイン処理を行い、このログイン処理により予め定められた操作者であることを認識するログイン手段が設けられ、
前記変更情報作成手段は、前記ログイン手段により認識された操作者を特定するための情報である操作者情報を含めて前記動作条件変更情報を作成するように構成された請求項１に記載の計量機器用情報処理装置。
【請求項４】
前記変更履歴表示手段は、前記動作条件変更情報履歴を表形式にて前記画面に表示するように構成された請求項１に記載の計量機器用情報処理装置。
【請求項５】
前記変更履歴表示手段は、前記動作条件変更情報履歴を前記画面に表示する際、前記動作条件変更情報が作成された時点における動作条件設定情報が、前記選択手段により選択される前記動作条件変更情報が作成された時点における全ての前記動作条件設定項目の値が再度設定されてなる場合に、そのことを示す表示を行うように構成された請求項１に記載の計量機器用情報処理装置。
【請求項６】
前記動作条件設定項目を１個または複数個指定する指定手段が設けられ、
前記変更履歴表示手段は、前記動作条件変更情報履歴の中から前記指定手段により指定された動作条件設定項目に関する前記動作条件変更情報を抽出して表示するように構成された請求項１に記載の計量機器用情報処理装置。
【請求項７】
前記動作条件変更手段及び前記再設定手段によって前記動作条件設定項目の値が変更されるたびに、変更された前記動作条件設定項目の値と変更されていない前記動作条件設定項目の値とからなる前記動作条件設定情報を記憶する設定情報記憶手段が設けられた請求項１に記載の計量機器用情報処理装置。
【発明の詳細な説明】
【技術分野】
【０００１】
本発明は、組合せ秤や重量式選別機などの被計量物の重量を計量する計量機器に用いられる計量機器用情報処理装置に関する。
【背景技術】
【０００２】
生産ライン上に設置された組合せ秤や重量式選別機などの計量機器は、運転のために複数の運転条件の設定が必要であり、常に同一の設定で運転されるわけではない。通常、組合せ秤は包装機に連結され、組合せ秤で計量された被計量物が包装機に投入され、包装される。計量された被計量物もしくは包装物の内容量は常に一定ではなく変更される。また、数時間単位で被計量物と包材を入れ替えて計量と包装をおこなうこともある。重量式選別機は、生産ラインの最終段階において、計量、梱包された被計量物の重量が所定重量範囲内であるか否かをチェックするものであり、いろいろな種類の被計量物を計量しなければならない。このような計量機器では、必要に応じて運転条件の設定及び変更をしなければならない。
【０００３】
例えば、特許文献１には、組合せ秤において、動作パラメータを外部入力パラメータと内部生成パラメータとに区分し、外部入力パラメータに基づき内部生成パラメータを自動設定する技術が記載されている。この場合、内部生成パラメータを自動設定することで全ての動作パラメータを最適値に設定することは現実的に無理である。その理由は、高機能の計量機器は様々な被計量物を計量するが、その計量する被計量物の特性が様々であり、その特性によって動作パラメータの最適値も異なるからである。例えば、組合せ秤の組合せ精度に影響を与える計量ホッパへの投入量は、分散フィーダ強度、分散フィーダ動作時間、リニアフィーダ強度、リニアフィーダ動作時間により設定されるが、それらの最適値は計量する被計量物の特性により大きく変わる。被計量物の特性とは、比重、粘着度（被計量物どうしのからみ具合）、大きさ等である。この被計量物の特性が異なると、前述の分散フィーダ強度、分散フィーダ動作時間、リニアフィーダ強度、リニアフィーダ動作時間が同じであっても搬送量が異なるため、被計量物に合わせた最適値は計算できないのが現実である。したがって自動設定によりある程度の目安となる数値を求めた後、実運転で最適値を求め、設定値を確定するのが一般的に行われている方法である。
【特許文献１】特開２００３−４５１７号公報
【発明の開示】
【発明が解決しようとする課題】
【０００４】
計量機器において、被計量物の品種が変更されたとき、あるいは、被計量物の計量条件が変更されたときには、計量機器の動作を規定する動作パラメータ等の動作条件設定値を変更しなければならない。例えば、組合せ秤では、目標重量を変更した場合には、組合せ精度を向上させるため計量ホッパに投入する被計量物の量を調整するため、ホッパに被計量物を供給するリニアフィーダの強度等を調整する。オペレータが例えば交代勤務等によって組合せ秤が稼働される場合、オペレータは複数存在するので、誰がいつ、どのように動作条件設定値を変更しているのか判らない時があり、そのまま運転すると最悪の場合、計量不良になり生産ラインが止まることになる。動作条件設定値をバックアップか印字していると、元の状態への復帰はできるが、再び設定し直すには時間がかかる。特に、高速の生産ラインでは、生産が止まると、復帰までの時間が大きな損失となる。
【０００５】
本発明は上記のような課題を解決するためになされたもので、過去の所望する時点における全ての動作条件設定項目の値（動作条件設定値）を、容易かつ短時間に再設定することができる計量機器用情報処理装置を提供することを目的としている。
【課題を解決するための手段】
【０００６】
上記課題を解決するために、本発明の計量機器用情報処理装置は、計量機器の動作を規定するために複数の動作条件設定項目の値からなる動作条件設定情報を設定する計量機器用情報処理装置であって、現在設定されている動作条件設定情報の中の個々の前記動作条件設定項目についてその値を変更することによって前記動作条件設定項目の値を変更するための動作条件変更手段と、前記動作条件変更手段により前記動作条件設定項目の値が変更されるたびに、変更された前記動作条件設定項目の変更前の値および変更後の値と、変更された年月日及び時刻とを含む動作条件変更情報を作成する変更情報作成手段と、前記変更情報作成手段により前記動作条件変更情報が作成されるたびに、前記動作条件変更情報を動作条件変更情報履歴として記憶する変更履歴記憶手段と、前記変更履歴記憶手段に記憶されている前記動作条件変更情報履歴を画面に表示する変更履歴表示手段と、前記変更履歴表示手段の画面に表示される前記動作条件変更情報履歴の中からいずれか１つの前記動作条件変更情報を選択するための選択手段と、前記選択手段により選択される前記動作条件変更情報が作成された時点における全ての前記動作条件設定項目の値を、前記動作条件設定情報として再度設定する再設定手段とを備え、前記変更情報作成手段は、前記再設定手段によって、前記選択手段により選択される前記動作条件変更情報が作成された時点における全ての前記動作条件設定項目の値が、前記動作条件設定情報として再度設定されることにより前記動作条件設定項目の値が変更されるたびにも、前記動作条件変更情報を作成するように構成されている。
【０００７】
この構成によれば、動作条件変更情報履歴を記憶しておき、画面に表示される動作条件変更履歴の中から選択手段によって１つの動作条件変更情報を選択し、再設定手段によってその動作条件変更情報が作成された時点における全ての動作条件設定項目の値を、動作条件設定情報として再度設定することができるので、試行錯誤で動作条件設定項目の値を変更して動作に支障が起こった場合でも、過去の所望する時点における全ての動作条件設定項目の値を、容易かつ短時間に再設定することができる。
【０００８】
また、前記動作条件変更手段及び前記再設定手段によって前記動作条件設定項目の値が変更される前に、操作者を特定するための情報である操作者情報の入力を必要とする操作者情報入力手段が設けられ、前記変更情報作成手段は、前記操作者情報を含めて前記動作条件変更情報を作成するように構成されていてもよい。
【０００９】
この構成によれば、動作条件変更情報に操作者情報が含まれるので、画面に表示された動作条件変更情報履歴をみて、いつ、誰が、どの運転条件設定項目の値をどのように変更したかがわかり、生産状況との関連を把握でき、操作者の能力を判定することも可能になる。
【００１０】
また、ログイン処理を行い、このログイン処理により予め定められた操作者であることを認識するログイン手段が設けられ、前記変更情報作成手段は、前記ログイン手段により認識された操作者を特定するための情報である操作者情報を含めて前記動作条件変更情報を作成するように構成されていてもよい。
【００１１】
この構成によれば、計量機器の運転開始から終了までに操作者が１人である場合に、動作条件変更情報に操作者情報が含まれるので、画面に表示された動作条件変更情報履歴をみて、いつ、誰が、どの運転条件設定項目の値をどのように変更したかがわかり、生産状況との関連を把握でき、操作者の能力を判定することも可能になる。
【００１２】
また、前記変更履歴表示手段は、前記動作条件変更情報履歴を表形式にて前記画面に表示するように構成されていてもよい。
【００１３】
また、前記変更履歴表示手段は、前記動作条件変更情報履歴を前記画面に表示する際、前記動作条件変更情報が作成された時点における動作条件設定情報が、前記選択手段により選択される前記動作条件変更情報が作成された時点における全ての前記動作条件設定項目の値が再度設定されてなる場合に、そのことを示す表示を行うように構成されていてもよい。
【００１４】
この構成によれば、画面に表示された動作条件変更情報履歴をみて、どの時点における全ての動作条件設定項目の値が動作条件設定情報としていつ再設定されたかがわかる。
【００１５】
また、前記動作条件設定項目を１個または複数個指定する指定手段が設けられ、前記変更履歴表示手段は、前記動作条件変更情報履歴の中から前記指定手段により指定された動作条件設定項目に関する前記動作条件変更情報を抽出して表示するように構成されていてもよい。
【００１６】
この構成によれば、所望の動作条件設定項目について、その値の変更履歴を表示することができる。
【００１７】
また、前記動作条件変更手段及び前記再設定手段によって前記動作条件設定項目の値が変更されるたびに、変更された前記動作条件設定項目の値と変更されていない前記動作条件設定項目の値とからなる前記動作条件設定情報を記憶する設定情報記憶手段が設けられていてもよい。
【発明の効果】
【００１８】
本発明は、以上に説明した構成を有し、過去の所望する時点における全ての動作条件設定項目の値を、容易かつ短時間に再設定することができる計量機器用情報処理装置を提供することができるという効果を奏する。
【発明を実施するための最良の形態】
【００１９】
以下、本発明の好ましい実施の形態を、図面を参照しながら説明する。
【００２０】
図１は、本発明の実施の形態の計量機器用情報処理装置の構成を示すブロック図である。
【００２１】
計量機器は、情報処理装置１Ａ（計量機器用情報処理装置）と計量機器本体部１Ｂとによって構成され、情報処理装置１Ａは計量機器本体部１Ｂの動作を制御する制御装置でもある。
【００２２】
情報処理装置１Ａは、例えば液晶表示装置からなる表示部２と、例えば液晶表示装置（表示部２）の液晶パネル上に取り付けられたタッチパネルからなる入力部３と、時計部４と、中央演算処理装置からなるＣＰＵ部５と、ＲＡＭ及び不揮発性メモリを有する記憶部６と、計量機器本体部１Ｂとのインターフェイス部７とを備えている。記憶部６内の不揮発性メモリには、ＣＰＵ部５の実行プログラムが予め記憶されており、また、後述する運転条件（動作条件）変更情報のデータ等も記憶される。時計部４は、例えばＲＴＣ（リアルタイムクロック）によって構成され、年月日及び時刻のデータをＣＰＵ部５へ提供する。本実施の形態では、表示部２と入力部３とはタッチパネルディスプレイによって構成される。
【００２３】
本実施の形態における情報処理装置１Ａは、先に述べた動作条件変更手段、変更情報作成手段、変更履歴記憶手段、変更履歴表示手段、選択手段、再設定手段、ログイン手段及び設定情報記憶手段等として機能する。また、先に述べた操作者情報入力手段、指定手段としても機能するようにしてもよい。
【００２４】
図２は、本実施の形態における計量機器の一例である組合せ秤を示す図である。
【００２５】
この組合せ秤の計量機器本体部１Ｂは、その装置上部の中央に、被計量物を振動によって放射状に分散させる円錐形の分散フィーダ１１が設けられている。分散フィーダ１１では、図示されない供給装置からその中央部に供給される被計量物を振動によってその周縁部方向へ送り出す。分散フィーダ１１の周囲には、分散フィーダ１１から送られてきた被計量物を振動によって各供給ホッパ１３に送りこむための複数のリニアフィーダ１２が放射状に設けられている。各リニアフィーダ１２の下方には、供給ホッパ１３及び計量ホッパ１４がそれぞれ対応して設けられている。これらの複数の供給ホッパ１３及び計量ホッパ１４はそれぞれ円状に配設されている。供給ホッパ１３はリニアフィーダ１２から送りこまれた被計量物を受け取り、その下方に配置された計量ホッパ１４が空になるとゲートを開いて計量ホッパ１４へ被計量物を投入する。また、各計量ホッパ１４には、計量ホッパ１４内の被計量物の重量を計測するロードセル等の重量センサ１５が取り付けられ、各重量センサ１５による計測値は情報処理装置１Ａへ出力される。円状に列設された計量ホッパ１４の下方には集合シュート１６が設けられ、集合シュート１６の下部には集合ファンネル１７が配設されている。この組合せ秤の集合ファンネル１７の下方には、例えば包装機（図示せず）が配置され、集合ファンネル１７から排出される被計量物は包装機へ投入されて袋詰めされる。
【００２６】
情報処理装置１Ａでは、計量機器本体部１Ｂの動作制御を行うとともに、被計量物を排出すべき計量ホッパ１４の組合せを求める組合せ処理を行う。この組合せ処理では、各計量ホッパ１４の計量値（重量センサ１５により計測された計量ホッパ１４内の被計量物の重量値）に基づいて組合せ演算を行い、複数の計量ホッパ１４の中から、計量値の合計が目標重量に対して許容範囲内の値であり、かつ、目標重量との差の絶対値が最小となる計量ホッパ１４の組合せを１つ選択し、被計量物を排出すべき組合せとする。
【００２７】
また、情報処理装置１Ａでは、表示部２の画面に、各回の組合せ計量結果及び組合せ計量結果の集計の表示を行うことも可能である。
【００２８】
以上のように構成された組合せ秤の動作について、その概略を説明する。
【００２９】
まず、被計量物は、図示されない供給装置によって組合せ秤の上方に搬送されてきて、分散フィーダ１１上に載せられる。そして、分散フィーダ１１の振動によって放射状に分散されて、分散フィーダ１１に続くリニアフィーダ１２を介して供給ホッパ１３に被計量物が送られる。各供給ホッパ１３の下方に位置する計量ホッパ１４が空の場合に、各供給ホッパ１３の被計量物が計量ホッパ１４に投入される。情報処理装置１Ａは、前述の組合せ処理を行い、被計量物を排出すべき組合せに該当する計量ホッパ１４に被計量物を排出させる。計量ホッパ１４から排出された被計量物は集合シュート１６上を滑り落ち、集合ファンネル１７を介して包装機へ排出される。以上の動作が繰り返し行われる。
【００３０】
組合せ秤では、上記のような動作を行うために多数の運転条件設定項目の値の設定が必要であり、情報処理装置１Ａを用いて行われ、設定された運転条件設定項目の値は記憶部６に記憶されている。
【００３１】
このような組合せ秤の運転条件の主な設定項目としては、目標重量、上限許容重量、速度、分散フィーダ強度、リニアフィーダ強度、分散フィーダ動作時間、リニアフィーダ動作時間、供給ホッパ開時間、計量ホッパ開時間、安定時間などがある。
【００３２】
上記の各設定項目について簡単に説明する。目標重量は、排出すべき目標とする重量であり、上限許容重量は、目標重量に対し排出を許容する最大重量を決める値であり、排出許容最大重量＝目標重量＋上限許容重量である。またここでは目標重量が排出許容最小重量である。速度は、排出される被計量物が１分間に包装機で包装される袋（パック）数である。分散フィーダ強度は分散フィーダ１１の振動振幅に対応する値であり、リニアフィーダ強度はリニアフィーダ１２の振動振幅に対応する値である。分散フィーダ動作時間、リニアフィーダ動作時間は、それぞれ分散フィーダ１１、リニアフィーダ１２の動作時間である。供給ホッパ開時間、計量ホッパ開時間は、それぞれのホッパのゲートの開動作を行った後、閉動作を開始するまでの全開状態を保持している時間である。安定時間は、計量ホッパ１４へ被計量物を投入するために供給ホッパ１３のゲートの開動作を開始させてから所定時間後に重量センサ１５の計量値を情報処理装置１Ａが組合せ演算用の計量値として取得するように決められているところの上記所定時間であり、重量センサ１５から被計量物の正確な計量値を取得するために設定される。これらの設定項目はほんの一例を示したものであり、実際は数十個あるいは百個以上の多数の設定項目がある。
【００３３】
図３は、運転条件設定項目（動作条件設定項目）の値を設定するための運転条件設定画面の一例を示す図である。
【００３４】
情報処理装置１Ａは、ログイン機能を有し、例えば、情報処理装置１Ａの電源を投入すると、はじめに、表示部２の画面に、ユーザー名及びパスワードを入力する一般的なログイン画面が表示される。ログイン画面にユーザー名及びパスワードを入力すると、ＣＰＵ部５は、入力されたユーザー名及びパスワードと、記憶部６に予め記憶されているユーザー名及びパスワードとを照合し、一致すれば表示部２の画面に、メニュー画面（図示せず）を表示させる。このメニュー画面には、例えば、「運転条件設定」のタッチキースイッチ、「運転条件変更履歴」のタッチキースイッチ、「運転開始」のタッチキースイッチなどが表示される。
【００３５】
この図３の運転条件設定画面３０は、例えば、前述のメニュー画面から呼び出される。メニュー画面の「運転条件設定」のタッチキースイッチにタッチすると、例えば被計量物の品種ごとに付与された品種番号を選択する品種選択画面が表示され、所望の品種番号を選択すると（例えば、それぞれの品種番号が表示されているタッチキースイッチにタッチすると）、例えば図３の運転条件設定画面３０が表示される。この図３の運転条件設定画面３０は、品種番号１が選択された場合の運転条件設定画面の一例である。
【００３６】
また、「運転条件変更履歴」のタッチキースイッチにタッチすると、例えば被計量物の品種ごとに付与された品種番号を選択する品種選択画面が表示され、所望の品種番号を選択すると（例えば、それぞれの品種番号が表示されているタッチキースイッチにタッチすると）、例えば図４の運転条件変更履歴画面４０が表示される。この図４の運転条件変更履歴画面４０は、品種番号１が選択された場合の運転条件変更履歴画面の一例である。また、「運転開始」のタッチキースイッチをタッチすると、組合せ秤の運転（動作）が開始される。
【００３７】
図３の運転条件設定画面３０では、各設定項目名が表示され、各設定項目名の右側には、その設定項目の値（現在設定されている値、運転開始前には予め決められている初期設定値）を表示する設定値表示領域が設けられている。またそれぞれの設定値表示領域はタッチキースイッチ３１となっており、タッチキースイッチ３１をタッチすると、テンキーのダイアログボックスが表示され、そのテンキーをタッチして設定項目の値を入力及び変更することができる。設定項目の値を入力及び変更した後、「決定」のタッチキースイッチ３４をタッチすると、ＣＰＵ部５は、そのタッチしたときに設定値表示領域に表示されている設定項目の値を運転条件として設定するとともに、運転条件変更情報を作成し、この作成した運転条件変更情報を記憶部６内の変更情報履歴テーブルに追加する。すなわち、記憶部６には、運転条件変更情報を順次記録した変更情報履歴テーブルが作成されており、その変更情報履歴テーブルに新たに作成された運転条件変更情報が追加される。個々の運転条件変更情報は、例えば、後述する図４の個々のタッチキースイッチ４１に表示されている内容である。また、図６のようにＩＤ番号が付される場合もある。図３において、タッチキースイッチ３２，３３をタッチすると画面を上下にスクロールできる。また、「戻る」のタッチキースイッチ３５をタッチすると、運転条件設定画面３０を呼び出した表示画面、ここでは、メニュー画面に戻る。
【００３８】
本実施の形態では、上述の図３の運転条件設定画面３０を用いて運転条件を変更した場合、及び、後述の図４〜図７の運転条件変更履歴画面を用いて運転条件を変更した場合には、変更後の全ての運転条件設定項目の値が記憶部６に記憶されて、保存される。
【００３９】
図４は、運転条件変更履歴画面の第１の例を示す図である。この図４の運転条件変更履歴画面４０では、過去のある時点から現時点までに作成された運転条件変更情報が表示される。ここで、過去のある時点とは、記憶部６の容量等によっても異なるが、例えば、組合せ秤が設置されて使用が開始された時点である。
【００４０】
この運転条件変更履歴画面４０では、運転条件が変更された年月日及び時刻と、運転条件を変更した操作者を特定するための情報である操作者の略称（ＯＺＭ，ＨＹＭ等）と、変更内容とからなる運転条件変更情報が、表形式で時系列的に表示されており、これらは前述の変更情報履歴テーブルに記憶されている内容である。変更内容としては、変更された設定項目と、その設定項目の変更前と変更後の値とが表示されている。例えば、図４の変更内容として表示されている「ＷＢ．Ｏ  ２５０→２７０」は、計量ホッパ開時間（ＷＢ．Ｏ）が２５０ｍ秒から２７０ｍ秒に変更されたことを示す。また、ＬＦはリニアフィーダ強度を示し、ＴＷは目標重量を示す。
【００４１】
なお、ＣＰＵ部５は、個々の運転条件変更情報を作成するとき、運転条件が変更された年月日及び時刻の情報については時計部４から取得し、操作者を特定するための情報については、ログイン処理のときに取得している。これについては、後述の運転条件変更履歴画面の第２の例（図５、図６）及び第３の例（図７）の場合も同様である。
【００４２】
図４の場合、それぞれの変更情報表示領域はタッチキースイッチ４１となっており、タッチキースイッチ４１をタッチすると、そのタッチキースイッチ４１が点滅しあるいは色が変わり、そのタッチキースイッチ４１に表示されている時点（年月日及び時刻）において変更された設定項目を含む全ての運転条件が選択される。次に「決定」のタッチキースイッチ４４をタッチすると、上記で選択された全ての運転条件が設定される。すなわち、タッチキースイッチ４１に表示されている時点において変更された設定項目の値だけでなく、その時点に設定されている全ての設定項目の値が設定される（これにより運転条件が変更される）。上記操作によって、過去の所望する時点における全ての運転条件設定項目の値を、容易かつ短時間に再設定することができる。
【００４３】
また、タッチキースイッチ４１をタッチし、次に「一覧」のタッチキースイッチ４６をタッチすると、上記タッチキースイッチ４１をタッチしたときに選択される全ての運転条件を表示するための画面が呼び出される。この画面は、例えば図３の運転条件設定画面３０のように設定項目とその値が表示された画面である。また、タッチキースイッチ４２，４３をタッチすると画面を上下にスクロールできる。「戻る」のタッチキースイッチ４５をタッチすると、運転条件変更履歴画面４０を呼び出した表示画面、ここでは、メニュー画面に戻る。
【００４４】
また、図５及び図６は、運転条件変更履歴画面の第２の例を示す図である。
【００４５】
この場合、前述のように、メニュー画面において「運転条件変更履歴」のタッチキースイッチにタッチすると、品種選択画面が表示され、所望の品種番号を選択すると、図５の運転条件変更履歴画面５０が表示される。この図５の運転条件変更履歴画面５０は、品種番号１が選択された場合の例である。
【００４６】
この運転条件変更履歴画面の第２の例の場合、運転条件変更情報として、図４の場合の運転条件変更情報の内容にＩＤ番号（識別番号）を付加して作成され記憶される。図５の運転条件変更履歴画面５０では、カレンダー形式によって、上記ＩＤ番号（図中の１３７，１３８）が運転条件が変更された日時に対応する欄に表示される。図５の例では、画面の左側のカレンダー表示領域５１には月ごとのカレンダーが表示され、その左上のタッチキースイッチ５４をタッチすると、前の月のカレンダーに切り替わり、右上のタッチキースイッチ５５をタッチすると、次の月のカレンダーに切り替わる。運転条件変更日時表示領域５６では、カレンダー表示領域５１に表示されている月において、何日の何時台に運転条件の変更があったことをＩＤ番号を表示することで示されるようになっている。例えば、１１／２の縦の欄のうち、１１：００台の欄に「１３７」のＩＤ番号が表示されていることによって、１１月２日の１１時台（１１時０分から１２時０分の直前まで）に運転条件に変更があったことがわかる。タッチキースイッチ５２，５３をタッチすると運転条件変更日時表示領域５６内の表示画面を上下にスクロールでき、タッチキースイッチ５７，５８をタッチすると運転条件変更日時表示領域５６内の表示画面を左右にスクロールできる。「戻る」のタッチキースイッチ５５をタッチすると、運転条件設定画面５０を呼び出した表示画面、ここでは、メニュー画面に戻る。
【００４７】
運転条件変更日時表示領域５６内のＩＤ番号が表示された部分のタッチキースイッチ５９のいずれか１つをタッチすると、図６に示すように、ＩＤ番号と、運転条件が変更された年月日及び時刻と、運転条件を変更した操作者を特定するための情報である操作者の略称と、変更内容とからなる運転条件変更情報が表示された運転条件変更履歴画面６０に切り替わる。図６は、「１３７」のＩＤ番号が表示された部分のタッチキースイッチ５９をタッチした場合の運転条件変更履歴画面６０の例であり、ＩＤ番号以外の表示内容は、図４における個別の運転条件変更情報の内容と同様である。「決定」、「戻る」及び「一覧」のタッチキースイッチ６４、６５、６６は、それぞれ図４における「決定」、「戻る」及び「一覧」のタッチキースイッチ４４、４５、４６と同様の機能を有する。例えば、「決定」のタッチキースイッチ６４をタッチすると、運転条件変更履歴画面６０に表示されている変更された設定項目の値だけでなく、その時点に設定されている全ての設定項目の値が設定される（これにより運転条件が変更される）。上記操作によって、過去の所望する時点における全ての運転条件設定項目の値を、容易かつ短時間に再設定することができる。
【００４８】
また、「一覧」のタッチキースイッチ６６をタッチすると、運転条件変更履歴画面６０に表示されている変更時点における全ての運転条件を表示するための画面が呼び出される。この画面は、例えば図３の運転条件設定画面３０のように設定項目とその値が表示された画面である。また、「戻る」のタッチキースイッチ６５をタッチすると、図５の運転条件変更履歴画面５０に戻る。
【００４９】
また、図７は、運転条件変更履歴画面の第３の例を示す図である。
【００５０】
この場合、前述のように、メニュー画面において「運転条件変更履歴」のタッチキースイッチにタッチすると、品種選択画面が表示され、所望の品種番号を選択すると、図７の運転条件変更履歴画面７０が表示される。この図７の運転条件変更履歴画面７０は、品種番号１が選択された場合の例である。
【００５１】
この運転条件変更履歴画面７０では、過去のある時点から現時点までに作成された運転条件変更情報が表示される。ここで、過去のある時点とは、記憶部６の容量等によっても異なるが、例えば、組合せ秤が設置されて使用が開始された時点である。
【００５２】
この運転条件変更履歴画面７０では、運転条件が変更された年月日及び時刻と、運転条件を変更した操作者を特定するための情報である操作者の略称（ＯＺＭ，ＨＹＭ等）と、変更内容とからなる運転条件変更情報が、各変更表示ボックス７１（７１ａ〜７１ｇ）内に表示されるとともに、画面内の上下位置によって時系列的に表示される。変更内容としては、変更された設定項目と、その設定項目の変更前と変更後の値とが表示されている。運転条件変更情報の内容は、図４の運転条件変更履歴画面４０の場合と同様である。
【００５３】
図４の運転条件変更履歴画面４０では、運転条件の変更内容等が、その変更された時刻の順に（時系列的に）表示されていたが、図７の運転条件変更履歴画面７０では、運転条件の変更内容等が、時系列的にわかるとともに、過去のどの時点に設定されている設定項目の値に基づいて変更されたかがわかるように、変更表示ボックス７１（７１ａ〜７１ｇ）を用いてフローチャートのようにして表示されている。
【００５４】
各変更表示ボックス７１ａ〜７１ｇで表示される内容は、図４のタッチキースイッチ４１となっている各変更情報表示領域で表示される内容と同様である。
【００５５】
図７で表示されている部分においては、変更表示ボックス７１ａから変更表示ボックス７１ｂ、変更表示ボックス７１ｃ、・・・、変更表示ボックス７１ｇの順に運転条件が変更されている。ここで、変更時点が前の変更表示ボックスと実線で繋がれている変更表示ボックスにおける運転条件の変更は、例えば図３の運転条件設定画面３０を用いて変更されたものである。例えば、変更表示ボックス７１ａ、７１ｂ、７１ｃ、７１ｅ、７１ｆのそれぞれの変更内容は、図３の運転条件設定画面３０が呼び出されて運転条件が変更されたものである。
【００５６】
また、変更時点が前の変更表示ボックスと破線で繋がれている変更表示ボックスにおける運転条件の変更は、後述の「決定」のタッチキースイッチ７４を用いて、前の変更表示ボックスの変更内容が設定された変更後の運転条件が設定されたものである。例えば、変更表示ボックス７１ｂと破線で繋がれた変更表示ボックス７１ｄにおける運転条件の変更は、変更表示ボックス７１ｂの変更内容が設定された変更後の全ての運転条件が選択されて設定されたことによる。また、変更表示ボックス７１ｄと破線で繋がれた変更表示ボックス７１ｇにおける運転条件の変更は、変更表示ボックス７１ｄの変更内容が設定された変更後の全ての運転条件が選択されて設定されたことによる。このように、図７の運転条件変更履歴画面７０では、運転条件の変更内容だけでなく、過去のどの時点の運転条件に基づいて変更されたかがわかる。
【００５７】
それぞれの変更表示ボックス７１（７１ａ〜７１ｇ）はタッチキースイッチ（以下、「タッチキースイッチ７１」と記載）となっており、いずれかのタッチキースイッチ７１をタッチすると、そのタッチキースイッチ７１が点滅しあるいは色が変わり、そのタッチキースイッチ７１に表示されている時点（年月日及び時刻）において変更された設定項目を含む全ての運転条件が選択される。次に「決定」のタッチキースイッチ７４をタッチすると、上記で選択された全ての運転条件が設定される。すなわち、タッチキースイッチ７１に表示されている時点において変更された設定項目の値だけでなく、その時点に設定されている全ての設定項目の値が設定される（これにより運転条件が変更される）。上記操作によって、過去の所望する時点における全ての運転条件設定項目の値を、容易かつ短時間に再設定することができる。
【００５８】
また、タッチキースイッチ７１をタッチし、次に「一覧」のタッチキースイッチ７６をタッチすると、上記タッチキースイッチ７１をタッチしたときに選択される全ての運転条件を表示するための画面が呼び出される。この画面は、例えば図３の運転条件設定画面３０のように設定項目とその値が表示された画面である。また、タッチキースイッチ７２，７３をタッチすると画面を上下にスクロールでき、タッチキースイッチ７７，７８をタッチすると画面を左右にスクロールできる。「戻る」のタッチキースイッチ７５をタッチすると、運転条件変更履歴画面７０を呼び出した表示画面、ここでは、メニュー画面に戻る。
【００５９】
以上に述べたように本実施の形態では、運転条件変更情報の履歴及び過去に設定された運転条件設定項目の値を記憶しておき、運転条件変更履歴画面を呼び出して、運転条件変更情報が作成された過去の所望する時点を選択操作することにより、過去の所望する時点における全ての運転条件設定項目の値を、容易かつ短時間に再設定することができる。したがって、試行錯誤で運転条件設定項目の値を変更して計量機器の動作に支障が起こった場合でも、過去の所望する時点における運転条件に、容易かつ短時間に復帰することができる。
【００６０】
また、運転条件変更履歴画面をみれば、いつ、誰が、どの運転条件設定項目の値をどのように変更したかがわかり、生産状況との関連を把握でき、操作者の能力を判定することも可能になる。
【００６１】
なお、本実施の形態では、運転条件変更情報のうちの操作者を特定するための情報をログイン処理により取得するようにしたが、運転条件が変更される前、例えば前述のメニュー画面における「運転条件設定」のタッチキースイッチ、「運転条件変更履歴」のタッチキースイッチをタッチしたときに、パスワード入力画面を表示し、操作者個々に予め与えられたパスワードが入力されると、それぞれ運転条件設定画面、運転条件変更履歴画面が呼び出される（表示される）ようにしてもよい。この場合、パスワード入力により、ＣＰＵ部５は、操作者を特定するための情報を取得することができ、例えば、１日のうちに、操作者が変わる場合に有効である。本実施の形態のようにログイン処理により操作者を特定するための情報を取得する場合には、１日のうちに操作者の変更がない場合に有効である。
【００６２】
また、運転条件変更履歴を表示する場合に、「運転条件変更履歴」のタッチキースイッチをタッチしたときに運転条件設定項目を選択するための画面を表示させ、画面上で選択された１つまたは複数の運転条件設定項目についての運転条件変更履歴を表示させるようにしてもよい。例えば、運転条件設定項目を選択するための画面として、各々の運転条件設定項目名が表示された複数のタッチキースイッチを設け、タッチされた１つまたは複数のタッチキースイッチに表示された運転条件設定項目についての運転条件変更履歴を表示させるようにすればよい。その場合に「全ての設定項目」の表示がされたタッチキースイッチを設け、そのタッチキースイッチをタッチした場合に、上記の第１〜第３の例として説明した運転条件変更履歴画面が表示されるようにしてもよい。
【産業上の利用可能性】
【００６３】
本発明は、運転条件として設定すべき設定項目の多い組合せ秤や重量式選別機等の計量機器に用いられる計量機器用情報処理装置等に有用である。
【図面の簡単な説明】
【００６４】
【図１】本発明の実施の形態の計量機器用情報処理装置の構成を示すブロック図である。
【図２】本発明の実施の形態における計量機器の一例である組合せ秤を示す図である。
【図３】本発明の実施の形態における運転条件設定画面の一例を示す図である。
【図４】本発明の実施の形態における運転条件変更履歴画面の第１の例を示す図である。
【図５】本発明の実施の形態における運転条件変更履歴画面の第２の例を示す図である。
【図６】本発明の実施の形態における運転条件変更履歴画面の第２の例を示す図である。
【図７】本発明の実施の形態における運転条件変更履歴画面の第３の例を示す図である。
【符号の説明】
【００６５】
１Ａ  情報処理装置
１Ｂ  計量機器本体部
２  表示部
３  入力部
４  時計部
５  ＣＰＵ部
６  記憶部
７  インターフェイス部
【図１】
2010008246.tif 000003
【図２】
2010008246.tif 000004
【図３】
2010008246.tif 000005
【図４】
2010008246.tif 000006
【図５】
2010008246.tif 000007
【図６】
2010008246.tif 000008
【図７】
2010008246.tif 000009